(57)【要約】      （修正有）【課題】給油ブラシの取付位置を適切かつ効率良く調整することができる治具を提供する。【解決手段】給油ブラシ取付治具が、給油ブラシのブラシ部４ｂを保持する一対の保持部５−２と、保持部５−２をそれぞれ支えるための持ち手６−２と、を備え、保持部５−２は、ブラシ部４ｂのブラシ先端４ｃがチェーン３に接触するに適切な毛先長さ４ｅ分保持部５−２の下端面５ａから突出させてブラシ部４ｂを保持し、保持部５−２の下端面５ａをチェーン３の上面３ｄに接触させた状態で、給油ブラシ取付治具を取り外して給油ブラシを給油位置に取り付ける。【選択図】図３
2016088715.tif 000002
【特許請求の範囲】
【請求項１】
給油ブラシを把持して給油位置に取り付けるための給油ブラシ取付治具であって、
前記給油ブラシのブラシ部のブラシ先端を給油対象に接触するに適切な毛先長さ分下端面から突出させて前記ブラシ部を保持する一対の保持部と、
前記保持部にそれぞれ一体に設けられた持ち手と、
を備えたことを特徴とする給油ブラシ取付治具。
【請求項２】
請求項１記載の給油ブラシ取付治具であって、
前記保持部が筒状体を分割した半割の筒形状であることを特徴とする給油ブラシ取付治具。
【請求項３】
請求項２に記載の給油ブラシ取付治具であって、
前記一対の保持部が対称形状であり、
対応する前記保持部と前記持ち手を合体させて前記ブラシ部を保持することを特徴とする給油ブラシ取付治具。
【請求項４】
請求項１ないし３のいずれか１項に記載の給油ブラシ取付治具であって、
前記保持部の下端面からの前記ブラシ部の突出量が、前記保持部の上端面が前記給油ブラシの給油ノズルへの取付金具の下面に接触し、下端面が前記給油対象の上面に接触した状態における毛先長さとして設定されていることを特徴とする給油ブラシ取付治具。
【請求項５】
請求項１ないし４のいずれか１項に記載の給油ブラシ取付治具であって、
前記給油対象が乗客コンベアに使用されているチェーンであることを特徴とする給油ブラシ取付治具。
【請求項６】
給油ブラシを取付治具によって給油位置に取り付ける給油ブラシの取付方法であって、
前記ブラシ部のブラシ先端を給油対象に接触するに適切な毛先長さ分前記保持部の下端面から突出させて前記ブラシ部を保持する一対の保持部と、前記保持部から一体に延びる持ち手とを備えた給油ブラシ取付治具によって前記給油ブラシのブラシ部を保持し、
前記保持部の上端面を前記給油ブラシの給油ノズルへの取付金具の下面に接触させ、
前記保持部の下端面が前記給油対象の上面に接触する位置まで前記給油ブラシを移動させ、
前記給油対象の上面への接触が完了した後、その状態で前記給油ブラシ取付治具を取り外す給油ブラシの取付方法。
【発明の詳細な説明】
【技術分野】
【０００１】
本発明は給油ブラシ取付治具及び給油ブラシの取付方法に係り、さらに詳しくは、例えばエスカレーターや移動歩道などの乗客コンベアに使用されているチェーンなどの給油対象に潤滑油を給油する給油ブラシの取付治具及び当該治具を使用して給油ブラシを給油位置に取り付ける給油ブラシの取付方法に関する。
【背景技術】
【０００２】
一般的なエスカレーターのチェーンへの潤滑油の給油は、チェーン直上に配設した給油ノズルから潤滑油を雫状および糸状の状態でチェーンに滴下する方法であった。しかし、この方法では、チェーン全体に万遍なく潤滑油を塗布することが難しく、特に風や振動などがある条件では、チェーン上に上手く潤滑油を供給できない場合などもあった。そこで、チェーンに確実に潤滑油を供給する方法として、近年、ブラシをチェーンに接触させ、その接触させたブラシを介してチェーンに潤滑油を供給する方法が用いられることが多くなっている。
【０００３】
このようにチェーンにブラシを接触させて給油する例として、例えば、特開平１０−２１８５４７号公報（特許文献１）に開示された踏み段チェーンの清掃装置がある。この清掃装置は、ローラー部の両側部にプレート部を配設したものを無端状に連結してなる踏み段チェーンの清掃に用いられ、この踏み段チェーンの近傍に設置されている固定部材に取着された基部と、この基部に植毛されて走行中の該踏み段チェーンに摺接するブラシとを備えた乗客コンベアの踏み段チェーン清掃装置において、上記ブラシを、上記踏み段チェーンに正対させるべく植毛され上記ローラー部およびプレート部の外周面に接触する毛足の短い短毛部と、この短毛部の外側に植毛されて該短毛部よりも毛足が長く上記ローラー部およびプレート部の外側面部に接触する長毛部とで構成したことを特徴とするものである。
【先行技術文献】
【特許文献】
【０００４】
【特許文献１】特開平１０−２１８５４７号公報
【発明の概要】
【発明が解決しようとする課題】
【０００５】
前記特許文献１記載の技術は、チェーンにブラシを接触させ、ブラケットで固定することによりチェーンの清掃を可能としている。しかしながら、特許文献１と同様にしてチェーンに接触させたブラシに潤滑油を供給し、ブラシを介してチェーンに潤滑油を供給しようとした場合、作業スペースが狭いエスカレーターの内部では特にブラシを取付る位置を調整することが難しかった。
【０００６】
すなわち、ブラシの毛先が少しだけチェーンに触れる程度の位置に取付てしまうと、ブラシからチェーンへの給油が不足することになる。また、ブラシの位置をチェーンに近づけすぎると、ブラシがチェーンに強く押し当てられ、その力が過剰になってブラシが早期に摩耗して交換する必要が生じる。さらに、強く押し当てすぎた場合、押し当てる力により毛先が変形し、毛先がチェーンを避けるように、言い換えれば触れないように反ってしまう場合がある。このように変形すると、ブラシの毛先からチェーンへの給油が不足することになる。
【０００７】
そこで、本発明が解決しようとする課題は、給油ブラシを適切かつ効率良く位置決めして取り付けることができるようにすることにある。
【課題を解決するための手段】
【０００８】
前記課題を解決するため、本発明は、給油ブラシを把持して給油位置に取り付けるための給油ブラシ取付治具であって、前記ブラシ部のブラシ先端をチェーンに接触するに適切な毛先長さ分前記保持部の下面から突出させて前記ブラシ部を保持する一対の保持部と、前記保持部にそれぞれ一体に設けられた持ち手と、を備えたことを特徴とする。なお、前記以外の課題、構成及び効果は、以下の実施形態の説明によって明らかにされる。
【発明の効果】
【０００９】
本発明によれば、給油ブラシを適切かつ効率良く位置決めして取り付けることができる。
【図面の簡単な説明】
【００１０】
【図１】給油ブラシをチェーンに対して適切に取付た例を示す図である。
【図２】本発明の実施形態に係る給油ブラシの取付治具の構成を示す斜視図である。
【図３】図２に示した給油ブラシの取付治具の使用方法を示す説明図である。
【発明を実施するための形態】
【００１１】
以下、図面を参照し、本発明の実施形態について説明する。
【００１２】
図１は給油ブラシを適切に取付た一例を示す図である。図示しない給油装置に接続された給油ノズル１の先端には、給油ブラシ４が取り付けられている。給油ブラシ４は取付部４ａとブラシ部４ｂからなり、ブラシ部４ｂの先端部４ｃは、例えばエスカレーターの駆動用のチェーン３の図示しないスプロケットが噛み合うローラ３ａの表面及びローラ３ａを支持するブッシュ３ｂが取り付けられたプレート３ｃの端面に予め設定された接触量若しくは接触圧で接触するように設定されている。このように接触量と接触圧が適切であれば、給油装置から矢印２方向に給油ノズル１に供給される潤滑油がブラシ部４ｂを伝ってチェーン３の全体に万遍なく薄く塗布される。このように適切にブラシ部４ｂとチェーン３との関係を設定すると、潤滑油が跳ねて飛び散ったり、チェーン３から垂れ落ちたりする確率が低く、風や振動などが強い条件でも確実にチェーン３に適正に潤滑油を塗布することができる。なお、給油ブラシ４は取付部４ａが給油ノズル１の先端に取り付けられ、ブラシ部４ｂの基端部側から潤滑油を先端部４ｃ側に供給する。
【００１３】
図２は、本発明の実施形態に係る給油ブラシ取付治具の構成を示す斜視図である。同図に示すように本実施形態に係る給油ブラシ取付治具１０は、給油ブラシ４のブラシ部４ｂを保持する図において左右一対の保持部５−１，２と、保持部５−１，２の側面から一体に延び、当該一対の保持部５−１，２をそれぞれ支える持ち手６−１，２からなる。本実施形態では、持ち手６−１，２は保持部５−１，２の長手方向に対して直交する方向に延びており、作業者がこの持ち手６−１，２の内側６ａを合わせるようにしてブラシ部４ｂを保持するようになっている。保持部５−１，２はブラシ部４ｂの直径及び長さに応じてその内径及び長手方向の寸法が設定されている。長手方向の寸法については、後述のように設定される。保持部５は対称な形状の半割の円筒形状であり、半割した対応面を合体させることにより円筒形状となる。円筒形の内径は、給油ノズル１に接続された給油ブラシ４のブラシ部４ｂの外径とほぼ同一寸法に設定され、ブラシ部４ｂを外周部からブラシ形状に沿って確実に保持することができる。なお、以下、保持部５−１，２及び持ち手６−１，２は総括的には符号５及び６で示す。
【００１４】
図３は本実施形態に係る給油ブラシ取付治具１０の使用方法を示す説明図である。給油ブラシ取付治具１０は、作業者が持ち手６を持って保持部５を開き（離間させ）、ブラシ部４ｂの外側からブラシ部４ｂの側面を包み込むように閉じてブラシ部４ｂを保持部５で保持させる。保持部５の長手方向の寸法（長さ）７は、チェーン３に接触させるに適切な長さの毛先４ｃが保持部５の下面５ａから突出するような寸法に設定されている。そこで、給油ブラシ４の取付金具４ａの下面４ｄに保持部５の上面５ｂを突き当てるようにしてブラシ部４ｂを保持するようにすれば、特に調整の必要もなく、適切な毛先４ａの突出量４ｅを得ることができる。
【００１５】
このようにして給油ブラシ４のブラシ部４ｂを保持部５で保持させ、その状態で保持部５の下面５ａをチェーン３の上面（プレート３ｃの上端面）３ｄに当接させると、給油ブラシ４のブラシ部４ｂのチェーン３への当接高さ位置を最適な位置とすることができる。言い換えると、前記突出量４ｅがチェーン３の上面３ｄに接触した最適な状態となる。そして、この最適な位置に位置決めした給油ブラシ４及び給油ノズル１をその位置で固定し、その後、ブラシ部４ｂから保持部５を取り外す。これにより、給油ブラシ４の取付位置を適切かつ効率良く調整した状態で給油ブラシ４を設置することができる。この状態が例えば図１に示した状態である。なお、図３では、一対の内の一方の保持部５−１と持ち手６−１を省略し、ブラシ部４ｂの保持状態を示している。
【００１６】
なお、本実施形態では、分割された形状の筒状の保持部５−１，２を合体させる際、保持部５−１，２と一体の持ち手６−１，２の対向する内側の面６ａを合わせて合体させるようになっているが、例えば、持ち手６−１，２を交差させて軸によって支持させ、保持部５−１，２を開閉可能に支持させるように構成することもできる。このように構成すると、給油ブラシ取付治具１０は一体のものとなり、また、持ち手６−１，２の反保持部側の端部を操作して開閉させるだけでよいので、作業性の向上を図ることができる。
【００１７】
以上のように、本実施形態によれば、次のような効果を奏する。なお、以下の実施形態における効果の説明では、本実施形態の各部について、特許請求の範囲における各構成要素をかっこ書きで示し、若しくは参照符号を付し、両者の対応関係を明確にした。
【００１８】
（１）  給油ブラシ４を把持して給油位置に取り付けるための給油ブラシ取付治具１０が、給油ブラシ４のブラシ部４ｂのブラシ先端４ｃをチェーン（給油対象）３に接触するに適切な毛先長さ４ｅ分下面５ａから突出させてブラシ部４ｂを保持する一対の保持部５−１，２と、保持部５−１，２にそれぞれ一体に設けられた持ち手６−１，２とを備えているので、給油ブラシ取付治具１０でブラシ部４ｂを保持して給油ブラシ４を給油位置に配置し、固定することにより、給油ブラシ４を効率良く位置調整した状態で取り付けることができる。
【００１９】
（２）  前記保持部５が筒状体を分割した半割の円筒形状であるので、給油ノズル１に接続された給油ブラシ４のブラシ部４ｂの形状に沿って確実に保持することができる。
【００２０】
（３）  前記一対の保持部５−１，２が対称形状であり、対応する保持部５−１，２と持ち手６−１，２を合体させてブラシ部４ｂを保持するので、簡単な作業でブラシ部４ｂを保持することができる。
【００２１】
（４）  保持部５の下端面５ａからのブラシ部４ｂの突出量が、保持部５の上端面５ｂが給油ブラシ４の給油ノズル１への取付金具４ａの下面４ｄに接触し、下端面５ａがチェーン３の上面３ｄに接触した状態における毛先長さとして設定されているので、毛先長さに応じた接触量あるいは接触圧を得ることが可能となり、接触量あるいは接触圧の設定を容易に行うことができる。また、給油ブラシ取付治具１０がいわばスペーサとして機能するので、ブラシ部４ｂを保持して給油ブラシ４を給油位置に取り付けることが容易となる。さらに、取り付けと毛先長さ４ｅの突出量の調整が同時に行われるので、前記（１）と同様の効果に加え、給油ブラシ４の取付品質および取付作業の作業効率の向上を図ることができる。
【００２２】
（５）  給油対象がエスカレーター（乗客コンベア）に使用されているチェーン３であれば、前記（１）ないし（４）に示した効果に加えて、ブラシ先端４ｃは給油するために適切な毛先長さ４ｅでチェーン（給油対象）３の上面３ｄに接触するので、安定した給油が可能になり、また、エスカレーターの内部の潤滑油による汚損を抑制することができる。さらに、給油ブラシ４の早期の摩耗及び千切れを抑制することもできる。
【００２３】
（６）  給油ブラシ４のブラシ部４ｂのブラシ先端４ｃをチェーン（給油対象）３に接触するに適切な毛先長さ４ｅ分下面５ａから突出させてブラシ部４ｂを保持する一対の保持部５−１，２と、保持部５−１，２にそれぞれ一体に設けられた持ち手６−１，２と、を備えた給油ブラシ取付治具１０によって給油ブラシ４のブラシ部４ｂを保持し、保持部５−１，２の上端面５ｂを給油ブラシ４の給油ノズル１への取付金具４ａの下面４ｄに接触させ、保持部５−１，２の下端面５ａがチェーン（給油対象）３の上面３ｄに接触する位置まで給油ブラシ取付治具１０によって給油ブラシ４を移動させ、チェーン（給油対象）３の上面３ｄへの接触が完了した後、その状態で給油ブラシ取付治具１０を取り外すので、給油ブラシ４の取付位置を効率良く位置調整した状態で取り付けることができる。また、給油ブラシ４の取付品質および取付作業の作業効率の向上を図ることができる。
【００２４】
なお、本発明は前述した実施形態に限定されず、本発明の要旨を逸脱しない範囲で種々の変形が可能であり、特許請求の範囲に記載された技術思想に含まれる技術的事項の全てが本発明の対象となる。前記実施形態は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【００２５】
１  給油ノズル
３  チェーン（給油対象）
３ｄ  上面
４  給油ブラシ
４ａ  取付金具
４ｂ  ブラシ部
４ｃ  ブラシ先端
４ｄ  下面
４ｅ  毛先長さ
５，５−１，５−２  保持部
５ａ  下端面
５ｂ  上端面
６，６−１，６−２  持ち手
１０  給油ブラシ取付治具
【図１】
2016088715.tif 000003
【図２】
2016088715.tif 000004
【図３】
2016088715.tif 000005